(57)【要約】【課題】従来の共通型リンガルブラケットではメッシュボトムが脱落したり、そしてスプリング装着に難度があり、さらには矯正治療作用を十分に発揮することが難しいという問題があった。【解決手段】本発明ではワイヤにより直列連結が可能となる１〜７番の共通型リンガルブラケットを備え、共通型リンガルブラケットはベースと、これと一体となっているブラケット本体部とを備えており、ベースにて歯の舌側面に貼付けられる面にはメッシュボトムが設けられており、メッシュボトムはベースと一体成型されている。【選択図】図１
2013525042.tif 000002
【特許請求の範囲】
【請求項１】
ワイヤにより直列連結が可能となる１〜７番の共通型リンガルブラケットを備え、前記共通型リンガルブラケットはベース（１）と、これと一体となっているブラケット本体部（２）とを備えている共通型リンガルブラケットシステムであって、
前記ベース（１）にて歯の舌側面に貼付けられる面にはメッシュボトム（１１）が設けられており、前記メッシュボトム（１１）はベース（１）と一体成型されている、ことを特徴とする共通型リンガルブラケットシステム。
【請求項２】
前記メッシュボトム（１１）が交互に編まれたメッシュ構造である、ことを特徴とする請求項１記載の共通型リンガルブラケットシステム。
【請求項３】
前記メッシュボトム（１１）がベース（１）と一体に鋳造成型されている、ことを特徴とする請求項１または２記載の共通型リンガルブラケットシステム。
【請求項４】
前記ベース（１）は、
ブラケット本体部（２）の舌側寄りの面の歯根方向に位置している牽引フック（２１）と、
数量が少なくとも一つであり、１〜６番の共通型リンガルブラケット上に配設され、ブラケット本体部（２）の舌側寄りの面の歯冠方向に位置している結束フラップ（２２）と、
ブラケット本体部（２）上に配設されており、１〜６番の共通型リンガルブラケット内にて、前記牽引フック（２１）と結束フラップ（２２）との間に位置しており、７番のリンガルブラケット内にて、ブラケット本体部（２）を直接貫通して、四角形パイプ状のチャネルを形成しているグルーブ（２３）と、を備えている、ことを特徴とする請求項１記載の共通型リンガルブラケットシステム。
【請求項５】
前記結束フラップ（２２）の端部にガイド溝（２２１）が設けられている、ことを特徴とする請求項４記載の共通型リンガルブラケットシステム。
【請求項６】
前記ガイド溝（２２１）が円弧状凹溝であるとともに、１〜３番の共通型リンガルブラケットの結束フラップ（２２）上のみに設けられている、ことを特徴とする請求項５記載の共通型リンガルブラケットシステム。
【請求項７】
１〜５番の共通型リンガルブラケット上のグルーブ（２３）の長さが対応する結束フラップ（２２）の幅以上である、ことを特徴とする請求項４、５または６記載の共通型リンガルブラケットシステム。
【請求項８】
１〜５番の共通型リンガルブラケット上における結束フラップ（２２）の数量がいずれも一つであって、６番の共通型リンガルブラケット上における結束フラップ（２２）の数量が二つであるとともに、同じ側に並列配置されている、ことを特徴とする請求項４、５または６記載の共通型リンガルブラケットシステム。
【請求項９】
１〜５番の共通型リンガルブラケット上における結束フラップ（２２）の数量がいずれも一つであって、６番の共通型リンガルブラケット上における結束フラップ（２２）の数量が二つであるとともに、同じ側に並列配置されている、ことを特徴とする請求項７記載の共通型リンガルブラケットシステム。
【請求項１０】
６番の共通型リンガルブラケットの牽引フック（２１）近傍には、サブ結束フラップ（２４）がさらに設けられている、ことを特徴とする請求項４記載の共通型リンガルブラケットシステム。
【発明の詳細な説明】
【技術分野】
【０００１】
本発明はリンガルブラケットシステムであって、特に共通型リンガルブラケットシステムに関する。
【背景技術】
【０００２】
歯科矯正治療においては、唇側からの矯正では審美性に欠け、患者への不快感などの不具合があることから、歯列の舌側に取付ける舌側矯正器具が使用されることが多く、汎用性の高い共通型舌側歯科矯正器具が用いられることが最も多い。共通型舌側歯科矯正器具は共通型リンガルブラケットシステムと、ワイヤと、スプリングとからなる。共通型リンガルブラケットシステムは各々が異なる共通型リンガルブラケットからなり、口腔内の各々の歯に応じて製作されるものであり、異なる歯に合せて異なる共通型リンガルブラケットが配される。これら歯の分類は、中切歯（前歯）を１番とし、第二大臼歯を７番として順に番号が付されているというものであるので、共通型リンガルブラケットもまた１〜７番に対応することになる。共通型リンガルブラケットはベースと、ブラケット本体部とを備えており、両者は一体となっている。ベースは歯の舌側面に貼付けられるものであり、貼付け面にはメッシュボトムが設けられている。一般的には、ブラケット本体部にはグルーブと、牽引フックと、結束フラップとが設けられており、ワイヤが共通型リンガルブラケットのグルーブ内に嵌入されて各共通型リンガルブラケットを直列連結して、その後、７番の共通型リンガルブラケットの位置で結束フラップに結着される。共通型リンガルブラケットは歯の舌側面に密着するうえ、本体はさらにワイヤに直列連結されていることから、ワイヤとグルーブとの間の相互作用力によって、患者の元来の歯列を理想的な歯列にゆっくりと矯正することになる。結束フラップに結束させる具体的な動作とは、歯科医がスプリングの下部を牽引フックに掛け止めして、その後プローブを結束フラップの上端に押圧し、プローブの先端でスプリングの上部を結束フラップに掛け渡すことで、スプリングで牽引フックと結束フラップとの間を包むようにして、共通型リンガルブラケットをワイヤに係着させるというものである。
【発明の概要】
【発明が解決しようとする課題】
【０００３】
従来の共通型リンガルブラケットでは、その本体は機械によりブランクが加工された後、別途製作したメッシュボトムをベースに溶接するというものであって、両部分が溶接により成型されていることから、メッシュボトムが共通型リンガルブラケットから外れてしまい、外れてしまったメッシュボトムは破損しやすく、共通型リンガルブラケットを正常に使用することができなくなってしまい、全体的な耐久性が劣るということが起きやすかった。また従来の共通型リンガルブラケットシステムでは、スプリングを用いて１〜３番の歯の結束フラップに結束する場合、１〜３番の歯の構造および位置により、プローブでの力点がなく、スプリングを掛け渡すときに滑ってしまい、結束作業が難しくなることが起きやすかった。さらには、従来の共通型リンガルブラケットシステムでは、６、７番の歯に取付けるときには割と精確に貼付けることができるが、１〜５番の歯に取付けるとなると、グルーブが短めであることから、ワイヤを１〜５番の共通型リンガルブラケットに装着した後でも、互いが接触する長さが短いために、位置決めに不便であるうえ、グルーブとワイヤとの間の相互作用力も矯正治療作用を十分に発揮することは難しかった。
【０００４】
本発明の目的は、共通型リンガルブラケットのメッシュボトムが脱落することなく、装着・貼付けが堅固で便利となる長所を備えた共通型リンガルブラケットシステムを提供するところにある。
【課題を解決するための手段】
【０００５】
本発明がその技術的課題を解決するための解決手法は以下のとおりである。
【０００６】
ワイヤにより直列連結が可能となる１〜７番の共通型リンガルブラケットを備え、上記共通型リンガルブラケットはベースと、これと一体となっているブラケット本体部とを備えており、上記ベースにて歯の舌側面に貼付けられる面にはメッシュボトムが設けられており、上記メッシュボトムはベースと一体成型されている。
【０００７】
さらに好ましい実施形態では、上記メッシュボトムが交互に編まれたメッシュ構造である。
【０００８】
さらに好ましい実施形態では、上記メッシュボトムがベースと一体に鋳造成型されている。
【０００９】
さらに好ましい実施形態では、上記ベースは、ブラケット本体部の舌側寄りの面の歯根方向に位置している牽引フックと、数量が少なくとも一つであり、１〜６番の共通型リンガルブラケット上に配設され、ブラケット本体部の舌側寄りの面の歯冠方向に位置している結束フラップと、ブラケット本体部上に配設されており、１〜６番の共通型リンガルブラケット内にて、上記牽引フックと結束フラップとの間に位置しており、７番のリンガルブラケット内にて、ブラケット本体部を直接貫通して、四角形パイプ状のチャネルを形成しているグルーブと、を備えている。
【００１０】
さらに好ましい実施形態では、上記結束フラップの端部にガイド溝が設けられている。
【００１１】
さらに好ましい実施形態では、上記ガイド溝が円弧状凹溝であるとともに、１〜３番の共通型リンガルブラケットの結束フラップ上のみに設けられている。
【００１２】
さらに好ましい実施形態では、１〜５番の共通型リンガルブラケット上のグルーブの長さが対応する結束フラップの幅以上である。
【００１３】
さらに好ましい実施形態では、１〜５番の共通型リンガルブラケット上における結束フラップの数量がいずれも一つであって、６番の共通型リンガルブラケット上における結束フラップの数量が二つであるとともに、同じ側に並列配置されている。
【００１４】
さらに好ましい実施形態では、６番の共通型リンガルブラケットの牽引フック近傍には、サブ結束フラップがさらに設けられている。
【発明の効果】
【００１５】
本発明の有益な効果は次のとおりである。本発明ではメッシュボトムがベース、ブラケット本体と一体成型されるとともに、上記メッシュボトムが交互に編まれたメッシュ構造であることで、共通型リンガルブラケットが歯表面への接着力が高くなるだけでなく、歯表面から脱落しにくくなり、しかも仮に脱落したとしてもメッシュボトムが損傷することはないうえ、メッシュに簡単なサンドブラスト処理を施すだけで、再利用することができる。本発明では共通型リンガルブラケットの装着・貼付けが堅固で便利となり、耐久性に優れ、各種の共通型舌側歯科矯正器具の個々に広汎に用いることができる。
【００１６】
また、本発明では１〜３番の共通型リンガルブラケット上面にガイド溝を設けることで、スプリングを掛け渡すときにプローブでの力点が得られ、結束フラップへの結束がより便利となる。本発明では１〜５番の共通型リンガルブラケットのグルーブを延長することで、ワイヤとこれら共通型リンガルブラケットとを組み付けた後、互いの接触長さが長くなり位置決めしやすくなり、しかもその矯正作用でも十分に発揮することができる。
【図面の簡単な説明】
【００１７】
【図１】本発明における１〜３番の共通型リンガルブラケットの立体模式図である。
【図２】本発明における４〜５番の共通型リンガルブラケットの立体模式図である。
【図３】本発明における６番の共通型リンガルブラケットの立体模式図である。
【図４】本発明における７番の共通型リンガルブラケットの立体模式図である。
【図５】本発明におけるメッシュボトムの構造模式図である。
【発明を実施するための形態】
【００１８】
以下にて図面と実施例とを合せて本発明を詳細に説明する。
【００１９】
図１〜図５を参照する。共通型リンガルブラケットシステムであって、ワイヤにより直列連結が可能となる１〜７番の共通型リンガルブラケットを備え、共通型リンガルブラケットはベース１と、これと一体となっているブラケット本体部２とを備えており、ベース１にて歯の舌側面に貼付けられる面にはメッシュボトム１１が設けられており、メッシュボトム１１はベース１と一体成型されている。
【００２０】
さらに好ましい実施形態では、メッシュボトム１１が交互に編まれたメッシュ構造である。
【００２１】
さらに好ましい実施形態では、メッシュボトム１１がベース１と一体に鋳造成型されている。具体的には、上記共通型リンガルブラケットは三次元ＣＡＤソフトウェアで三次元デジタルモデルを予め設計しておき、その後ＤＬＰデジタル投影技術により全体の樹脂模型を製作し、さらに金型で全体を鋳造するものである。このうち、メッシュボトム１１は設計過程において三次元ＣＡＤソフトウェアによりメッシュボトム１１を直接ベース１の上面に製図するか、またはアセンブリ方式で両者を結合してもよい。メッシュボトム１１の線径は０．０５〜１ｍｍであり、メッシュボトム１１のメッシュ数は２０〜２００メッシュである。
【００２２】
さらに好ましい実施形態では、ベース１は、ブラケット本体部２の舌側寄りの面の歯根方向に位置している牽引フック２１と、数量が少なくとも一つであり、１〜６番の共通型リンガルブラケット上に配設され、ブラケット本体部２の舌側寄りの面の歯冠方向に位置している結束フラップ２２と、ブラケット本体部２上に配設されており、１〜６番の共通型リンガルブラケット内にて、牽引フック２１と結束フラップ２２との間に位置しており、７番のリンガルブラケット内にて、ブラケット本体部２を直接貫通して、四角形パイプ状のチャネルを形成しているグルーブ２３と、を備えている。
【００２３】
さらに好ましい実施形態では、結束フラップ２２の端部にガイド溝２２１が設けられている。
【００２４】
さらに好ましい実施形態では、ガイド溝２２１が、半径が１〜１０ｍｍ、長さが０．５〜２ｍｍである円弧状凹溝であるとともに、１〜３番の共通型リンガルブラケットの結束フラップ２２上のみに設けられている。
【００２５】
さらに好ましい実施形態では、１〜５番の共通型リンガルブラケット上のグルーブ２３の長さが対応する結束フラップ２２の幅以上である。上記１〜５番の共通型リンガルブラケット上のグルーブ２３の長さは１．２〜３．２ｍｍであり、結束フラップ２２の幅は０．８〜２．０ｍｍである。
【００２６】
さらに好ましい実施形態では、１〜５番の共通型リンガルブラケット上における結束フラップ２２の数量がいずれも一つであって、６番の共通型リンガルブラケット上における結束フラップ２２の数量が二つであるとともに、同じ側に並列配置されている。
【００２７】
さらに好ましい実施形態では、６番の共通型リンガルブラケットの牽引フック２１近傍には、サブ結束フラップ２４がさらに設けられている。
【００２８】
歯科矯正器具を組み付けるとき、本発明における各々の共通型リンガルブラケットを対応する歯の舌側面に密着させて、その後ワイヤをグルーブ２３内に嵌入させるが、このうち７番の共通型リンガルブラケットはワイヤを直接そのグルーブ２３から貫通させた後、スプリングを装着して組み立て固定する。１〜３号の共通型リンガルブラケットにスプリングを装着するときには、まずスプリングの片方を牽引フック２１上に掛け止めて、プローブをスプリングに引っ掛け、ガイド溝２２１を力点としてプローブを回転させると、スプリングの他方側が結束フラップに掛け渡された後に、プローブを緩めるとスプリングは自動的に共通型リンガルブラケットとワイヤとを結束する。６番の共通型リンガルブラケットにスプリングを装着するときには、サブ結束フラップ２４と結束フラップ２２とをさらに結束する必要がある。
【００２９】
以上は、本発明の好ましい実施形態に対する具体的な説明であるが、本発明は上記実施例に限定するものではなく、当業者であれば本発明の技術的思想に反することがない前提で各種の同等の変形または置換を行うことができるものであって、これら同等の変形または置換はいずれも本発明の特許請求の範囲内に含まれる。
【符号の説明】
【００３０】
１：ベース
２：ブラケット本体部
１１：メッシュボトム
２１：牽引フック
２２：結束フラップ
２３：グルーブ
２４：サブ結束フラップ
２２１：ガイド溝
【図１】
2013525042.tif 000003
【図２】
2013525042.tif 000004
【図３】
2013525042.tif 000005
【図４】
2013525042.tif 000006
【図５】
2013525042.tif 000007
【国際調査報告】
2013525042.tif 000008
2013525042.tif 000009
2013525042.tif 000010
2013525042.tif 000011
2013525042.tif 000012